(57)【要約】【課題】スライド扉の開閉に伴うパッキンの変形や損傷を抑制し、パッキン取付部が外部の物に接触して開閉に支障をきたすのを防止すること。【解決手段】庫体１の開口部２の上部側に水平に配設される案内レール３と、開口部を開閉する扉体５と、扉体の上部に装着されて、案内レールに転走可能に係合する吊り車輪７と、扉体の下端部に垂下状に装着され、床面Ｆに接触するずれパッキン９と、を具備するスライド扉装置において、扉体の下端面に固定される水平固定片８２と、扉体の庫体側面に添設される上部垂直片８３及び上部垂直片の下端に垂下する下部垂直片８４を有するパッキン受部材８０と、パッキン受部材の上部垂直片及び下部垂直片との間にずれパッキンを挟持するパッキン押え部材９０と、パッキン押え部材、パッキン及びパッキン受部材を貫通して扉体に固定する固定ねじ９１を具備する。【選択図】    図２
2011001793.tif 000002
【特許請求の範囲】
【請求項１】
建造物の庫体の出入口用開口部の上部側に水平に配設される案内レールと、上記出入口用開口部を開閉する扉体と、この扉体の上部に装着されて、上記案内レールに転走可能に係合する吊り車輪と、上記扉体の下端部に垂下状に装着され、床面に接触するパッキンと、を具備するスライド扉装置において、
上記扉体の下端面に固定される水平固定片と、上記扉体の上記庫体側面に添設される上部垂直片及びこの上部垂直片の下端に垂下する下部垂直片を有するパッキン受部材と、このパッキン受部材の上部垂直片及び下部垂直片との間に上記パッキンを挟持するパッキン押え部材と、上記パッキン押え部材、パッキン及びパッキン受部材を貫通して上記扉体に固定する固定部材を具備してなる、ことを特徴とするスライド扉装置。
【請求項２】
請求項１記載のスライド扉装置において、上記パッキン押え部材は、中央部に上記パッキンの表面に当接すると共に、上記固定部材が貫通する平坦固定片と、この平坦固定片に対して上記固定部材の頭部の高さより高く隆起すると共に、先端に向かって下り傾斜面を有する一対の押え翼片とを有し、かつ、少なくとも一方の押え翼片の先端部が上記下部垂直片の下端部との間で上記パッキンを挟持可能に形成されている、ことを特徴とするスライド扉装置。
【請求項３】
請求項１又は２記載のスライド扉装置において、
上記パッキン押え部材の一対の押え翼片が上下対称の形状に形成されている、ことを特徴とするスライド扉装置。
【請求項４】
請求項１ないし３のいずれかに記載のスライド扉装置において、
上記パッキン押え部材の両押え翼片の裏面に、それぞれ先端がパッキンに当接する凹溝を長手通しに形成し、上記パッキン押え部材の長手方向の両端に装着されるキャップ部材に、上記凹溝内に嵌合する嵌合脚片を設けると共に、キャップ部材の表面と押え部材の最隆起面を同一面に形成し、かつ、キャップ部材の上下部及び先端部を先端に向かって下り傾斜状に形成してなる、ことを特徴とするスライド扉装置。
【請求項５】
請求項４記載のスライド扉装置において、
上記パッキン押え部材をアルミニウム製押出形材にて形成し、上記キャップ部材を合成樹脂製材料にて形成してなる、ことを特徴とするスライド扉装置。
【発明の詳細な説明】
【技術分野】
【０００１】
この発明は、スライド扉装置に関するもので、更に詳細には、建造物の庫体の出入口用開口部の上部側に水平状に配設される案内レールと、上記出入口用開口部を開閉する扉体と、上記扉体の上部に装着されて、上記案内レールに転走可能に係合する吊り車輪と、上記扉体の下端部に垂下状に装着され、床面に接触するパッキンとを具備するスライド扉装置に関するものである。
【背景技術】
【０００２】
従来、この種のスライド扉は、冷凍庫や冷蔵庫等の庫体の出入口用開口部を閉鎖する際、スライド扉の下端から庫体内の冷気が流出するのを防ぐために、スライド扉の扉体の下端部に、床面に接触するパッキンを装着している。この場合、上記パッキンを、上記扉体の庫体側の下端側面に沿設される押え金具を介して扉体にねじ結合されるねじ部材によって装着する構造のものが知られている（例えば、特許文献１参照）。
【先行技術文献】
【特許文献】
【０００３】
【特許文献１】特開２００５−３４４９４８号公報（特許請求の範囲、図１，図２）
【発明の概要】
【発明が解決しようとする課題】
【０００４】
ところで、この種のスライド扉においては、パッキンが床面に接触した状態で扉体が直線状に開閉移動するため、パッキンの変形や損傷防止のために保護を十分にする必要がある。また、スライド扉は、扉体が庫体の外表面に近接した状態で直線状に開閉移動するため、パッキンを取り付ける押え金具やねじ部材が外部の物に接触し、扉体の開閉に支障をきたす懸念がある。
【０００５】
この発明は、上記事情に鑑みてなされたもので、スライド扉の開閉に伴うパッキンの変形や損傷を抑制すると共に、パッキン取付部が外部の物に接触して開閉に支障をきたすのを防止するようにしたスライド扉装置を提供することを課題とする。
【課題を解決するための手段】
【０００６】
上記課題を達成するために、この発明のスライド扉装置は、建造物の庫体の出入口用開口部の上部側に水平に配設される案内レールと、上記出入口用開口部を開閉する扉体と、この扉体の上部に装着されて、上記案内レールに転走可能に係合する吊り車輪と、上記扉体の下端部に垂下状に装着され、床面に接触するパッキンと、を具備するスライド扉装置において、上記扉体の下端面に固定される水平固定片と、上記扉体の上記庫体側面に添設される上部垂直片及びこの上部垂直片の下端に垂下する下部垂直片を有するパッキン受部材と、このパッキン受部材の上部垂直片及び下部垂直片との間に上記パッキンを挟持するパッキン押え部材と、上記パッキン押え部材、パッキン及びパッキン受部材を貫通して上記扉体に固定する固定部材を具備してなる、ことを特徴とする。
【０００７】
このように構成することにより、パッキン受部材とパッキン押え部材によってパッキンを床面に近い位置で挟持して固定することができる。
【０００８】
この発明において、上記パッキン押え部材は、中央部に上記パッキンの表面に当接すると共に、上記固定部材が貫通する平坦固定片と、この平坦固定片に対して上記固定部材の頭部の高さより高く隆起すると共に、先端に向かって下り傾斜面を有する一対の押え翼片とを有し、かつ、少なくとも一方の押え翼片の先端部が上記下部垂直片の下端部との間で上記パッキンを挟持可能に形成される方が好ましい。
【０００９】
このように構成することにより、パッキン押え部材の隆起部によって固定部材の頭部が外部に突出するのを防止することができ、かつ、パッキン押え部材の上下部の一対の押え翼片を先端に向かって下り傾斜面とすることで、外部の物との干渉や、ごみ溜まりを抑制することができる。
【００１０】
また、この発明において、上記パッキン押え部材は、少なくとも一方の押え翼片の先端部が下部垂直片の下端部との間でパッキンを挟持可能に形成されていれば、押え翼片は任意の形状であっても差し支えないが、好ましくは押え部材の一対の押え翼片が上下対称の形状に形成されている方がよい。
【００１１】
このように構成することにより、パッキン押え部材の一対の押え翼片が上下対称の形状に形成されるので、扉体にパッキンを固定する時にパッキン押え部材を上下間違って取り付ける心配がない。
【００１２】
また、この発明において、上記パッキン押え部材の両押え翼片の裏面に、それぞれ先端がパッキンに当接する凹溝を長手通しに形成し、上記パッキン押え部材の長手方向の両端に装着されるキャップ部材に、上記凹溝内に嵌合する嵌合脚片を設けると共に、キャップ部材の表面と押え部材の最隆起面を同一面に形成し、かつ、キャップ部材の上下部及び先端部を先端に向かって下り傾斜状に形成する構造とする方が好ましい。この場合、上記パッキン押え部材をアルミニウム製押出形材にて形成し、上記キャップ部材を合成樹脂製材料にて形成することができる。
【００１３】
このように構成することにより、パッキン押え部材の両端部に、キャップ部材を容易に取り付けることができると共に、パッキン押え部材の両端部の切断角度誤差をキャップ部材によって隠すことができる。また、キャップ部材は、上下部及び先端部を先端に向かって下り傾斜状に形成されているので、外部の物との干渉を抑制することができる。この場合、上記パッキン押え部材をアルミニウム製押出形材にて形成し、上記キャップ部材を合成樹脂製材料にて形成することにより、長尺状のパッキン押え部材の凹溝の寸法精度の向上が図れ、パッキン押え部材とキャップ部材との接合を容易かつ確実にすることができる。
【発明の効果】
【００１４】
この発明によれば、上記のように構成されているので、以下のような優れた効果が得られる。
【００１５】
（１）パッキン受部材とパッキン押え部材によってパッキンを床面に近い位置で挟持して固定することができるので、パッキンを強固に固定することができ、スライド扉の開閉に伴うパッキンの変形や損傷を抑制することができる。
【００１６】
（２）パッキン押え部材の隆起部によって固定部材の頭部が外部に突出するのを防止することができ、かつ、パッキン押え部材の上下部の一対の押え翼片を先端に向かって下り傾斜面とすることで、外部の物との干渉を抑制することができる。
【００１７】
（３）パッキン押え部材の一対の押え翼片を上下対称の形状に形成することにより、扉体にパッキンを固定する時にパッキン押え部材を上下間違って取り付ける心配がない。したがって、パッキンの取付作業を容易にすることができる。
【００１８】
（４）パッキン押え部材の両端部に、キャップ部材を容易に取り付けることができると共に、パッキン押え部材の両端部の切断角度誤差をキャップによって隠すことができる。また、キャップ部材は、上下部及び先端部を先端に向かって下り傾斜状に形成されているので、外部の物との干渉を抑制することができる。この場合、上記パッキン押え部材をアルミニウム製押出形材にて形成し、上記キャップ部材を合成樹脂製材料にて形成することにより、長尺状のパッキン押え部材の凹溝の寸法精度の向上が図れ、パッキン押え部材とキャップ部材との接合を容易かつ確実にすることができる。
【図面の簡単な説明】
【００１９】
【図１】この発明に係るスライド扉装置を示す概略正面図である。
【図２】上記スライド扉装置を示す断面図（ａ）及び（ａ）のＩ部拡大断面図（ｂ）である。
【図３】この発明における案内レールと吊り車輪を示す拡大断面図である。
【図４】この発明におけるパッキンの取付状態を示す断面図である。
【図５】図４の側面図である。
【図６】この発明におけるパッキンの取付状態を示す断面斜視図である。
【図７】この発明におけるパッキン押え部材の表面斜視図（ａ）及び裏面斜視図（ｂ）である。
【図８】この発明におけるキャップ部材の表面斜視図（ａ）及び裏面斜視図（ｂ）である。
【図９】この発明におけるパッキン押え部材とキャップの連結状態の表面斜視図（ａ）及び裏面斜視図（ｂ）である。
【発明を実施するための形態】
【００２０】
以下に、この発明を実施するための形態について、添付図面に基づいて詳細に説明する。ここでは、この発明に係るスライド扉装置を冷凍庫に用いた場合について説明する。
【００２１】
この発明に係るスライド扉装置は、プレハブ式冷凍庫の庫体１に開設された出入口用開口部２（以下に開口部２という）の上部側に水平状に配設される案内レール３と、開口部２を開閉する扉体５と、この扉体５の上端部に装着されるＬ形状のブラケット６の垂直片６ａに装着されると共に、案内レール３を転走する凹状走行面７ａの対峙する両側に一対のフランジ部７ｂを有する吊り車輪７と、ブラケット６の水平片６ｂに装着されると共に、開口部２の開口縁に装着される開口枠２ａの外面に転動可能な水平ガイドローラ８と、扉体５の下端部に垂下状に装着され、床面Ｆに接触するずれパッキン９とで主に構成されている。なお、扉体５の下端部と庫体１の開口部２近傍の床面Ｆとの対向する位置には、扉体５を閉鎖する際に互いに係合して扉体５を庫体１の開口部２に押圧する密閉移動手段１０が形成されている。また、開口枠２ａの開口縁に沿ってパッキン受座２ｂが周設されている（図２参照）。
【００２２】
上記案内レール３は、図２及び図３に示すように、吊り車輪７が転走する車輪走行部３０と、庫体１の開口部２の上部外面に固定される固定部３１と、固定部３１の下部に延在し、開口部２の上部に設けられたパッキン受座２ｂの外面に当接される当接部３２とが一体のアルミニウム製押出形材にて形成されている。案内レール３は、庫体１の開口部２を扉体５が閉鎖する閉鎖領域Ａと、扉体５が開口部２を開放する開放領域Ｂに渡って配設されている。
【００２３】
上記車輪走行部３０は、吊り車輪７の凹状走行面７ａが転走可能な断面逆Ｕ字状に隆起するレール面部３３と、このレール面部３３の両側下端から外方に向かって下り勾配状に傾斜する一対の傾斜片３４と、これら両傾斜片３４の下端から垂下する一対の垂下片３５と、両垂下片３５の下端同士を連結する下部連結片３６とからなる中空状に形成されている。なお、傾斜片３４の傾斜角（勾配）は、吊り車輪７のフランジ部７ｂに設けられた内向きテーパ面７ｃと略相似形状に形成されている。
【００２４】
固定部３１と当接部３２は、クランク状段部３７を介して連結されており、クランク状段部３７に、車輪走行部３０の下部連結片３６から延在する水平片３６ａが連結されている。固定部３１は、上部に庫体１の壁部１ａを貫通する取付ボルト４０の取付孔（図示せず）を有し、この取付孔部の下部と上記水平片３６ａとが傾斜片３８ａで連結され、傾斜片３８ａの中間部とクランク状段部３７に補強片３８ｂが連結されている。また、当接部３２のクランク状段部３７の近傍の表面には狭隘開口状の水平凹溝３９ａが設けられ、この水平凹溝３９ａの開口下部に延在する垂直案内片３９ｂの下端にパッキン受座２ｂの表面に当接する折曲片３９ｃが設けられている。なお、垂直案内片３９ｃの表面に水平ガイドローラ８が転走可能に接触するようになっている。
【００２５】
上記のように形成される案内レール３は、固定部３１を庫体１の取付面に当接した状態で、取付ボルト４０を固定部３１に設けられた取付孔（図示せず）を貫通して庫体１に螺合することにより、案内レール３を強固に固定することができる。
【００２６】
なお、案内レール３の端部には、扉体５のストッパ部材５０が取り付けられている（図１参照）。また、上記扉体５の戸当り面には、ストッパ部材５０に衝突する合成ゴム製のストッパ片５１が取り付けられている（図１参照）。なお、扉体５の開放位置の床面Ｆには、扉体５のストッパ部材５２が取り付けられている（図１参照）。
【００２７】
一方、上記吊り車輪７は、扉体５の上端におけるスライド方向の両端側の２箇所に取り付けられており、案内レール３のレール面部３３の逆Ｕ字状に対応する凹状走行面７ａと、凹状走行面７ａの両側に設けられ、案内レール３の傾斜片３４の傾斜角（勾配）と相似形の傾斜角度の内向きテーパ面７ｃを有する一対のフランジ部７ｂとを具備している。
【００２８】
また、吊り車輪７は、扉体５の取付状態｛具体的には、扉体５が位置する床面Ｆの凹凸や傾斜状態｝に応じて位置調節が可能となっている。すなわち、扉体５の上端に固定されるＬ形状のブラケット６の垂直片６ａに設けられた垂直状の長孔（図示せず）内を摺動可能（上下移動可能）に取り付けられた支持軸７ｄによって垂直方向に回転自在に装着されている（図２参照）。なお、ブラケット６の垂直片６ａの上端には、扉体５が自重によって下がるのを防止するためのストッパ機構６０が設けられている。このストッパ機構６０のボルト６１を締め付け又は緩めることにより、扉体５を吊った状態で扉体５の上下調整が可能となっており、左右両端部のストッパ機構６０を調整することにより、扉体５の左右の傾きを抑制することができる。
【００２９】
また、水平ガイドローラ８は、扉体５の上端に固定されたブラケット６の水平片６ｂに回転可能に支持された鉛直支持軸７ｅを介して水平方向に回転自在に装着されている。水平ガイドローラ８は、２箇所の吊り車輪７に対応して、吊り車輪７の下部側に配設されている。
【００３０】
上記扉体５は、一対の表面板５ａと、これら表面板５ａの辺部間に介在される枠材５ｂと、両表面板５ａ及び枠材５ｂにて形成される空間内に発泡ポリウレタン等の発泡性の断熱性心材５ｃを充填したサンドイッチ構造となっており、この扉体５の庫体１側の上辺及び左右辺には、開口部２の開口枠２ａに周設されたパッキン受座２ｂに圧接する円筒状のパッキン７０が周設されている（図２参照）。
【００３１】
なお、案内レール３における扉体５の閉鎖時及び開放時に吊り車輪７が位置する部位には、吊り車輪７を庫体側に偏倚させる上部引き寄せ部材（図示せず）と水平ガイドローラ８を庫体側に偏倚させる下部引き寄せ部材（図示せず）が設けられている。また、扉体５の下端の側部における開閉移動の先端部側及び後端部側には扉寄せ部材１１，１２が装着されており、庫体１の開口部２近傍の床面Ｆに配設されて、扉体５の閉鎖位置における扉引寄せ部材１１，１２にそれぞれ係合するガイドローラ１４Ａ，１４Ｂとによって密閉移動手段１０が形成されている（図１及び図２参照）。また、扉体５の外側表面板５ａの下端部には、扉引寄せ部材１１，１２間に連接するようにプロテクタ１３が装着されており、このプロテクタ１３にガイドローラ１４Ａ，１４Ｂが接触することで、表面板５ａを保護することができるようになっている。
【００３２】
なお、庫体１の開口部２の上部には、リニアモータのリニアレールを配設するケース体（図示せず）が取り付けられる場合もあり、このケース体は化粧カバー２０によって外部から目隠しされている。
【００３３】
化粧カバー２０は、庫体１の外面に固定ねじ２２によって固定されるカバー受部材２１に係脱可能に係合されている。この場合、カバー受部材２１は、例えばアルミニウム製の押出形材を適宜長さに切断したピース状に形成されており、複数個が適宜間隔をおいて配設されている。このカバー受部材２１は、庫体１の壁部１ａに固定される垂直固定片２３の上端部から外方に向かって下り勾配に傾斜する上部傾斜片２４の先端と、垂直固定片２３の上部側から外方に向かって上り勾配に傾斜する下部傾斜片２５の先端とを連結した中空三角形状の突出部２６を有し、この突出部２６における上部傾斜片２４の先端部に設けられた係止溝２７に、化粧カバー２０が係脱可能に係合されている。なお、係止溝２７の上部側開口端には係止溝２７内に向かって水平係止片２７ａが突設されている。
【００３４】
なお、カバー受部材２１は、必ずしも複数のピース状である必要はなく、長手通し状の１本のカバー受部材であってもよい。
【００３５】
上記化粧カバー２０は、例えばアルミニウム製の押出形材によって形成されている。この化粧カバー２０には、一端にカバー受部材２１の係止溝２７内に係脱可能に係止する係止爪部２８ａを有し、カバー受部材２１の上部傾斜片２４に連なる傾斜状の上部カバー部２８と、この上部カバー部２８の下端（他端）から垂下状に折曲されて案内レール３及び吊り車輪７を覆う前面カバー部２９とが設けられている。
【００３６】
上記のように構成される化粧カバー２０は、通常時には、係止爪部２８ａが係止溝２７に係合されると共に、前面カバー部２９がレール３及び吊り車輪７を覆っている（図２参照）。また、保守・点検時には、化粧カバー２０を上方に持ち上げて係止爪部２８ａを係止溝２７の水平係止片２７ａとの間で滑らせて、化粧カバー２０を開放状態に保持して、案内レール３と吊り車輪７の走行部やリニアモータの保守・点検作業を行うことができる。
【００３７】
上記のように化粧カバー２０とカバー受部材２１は共にアルミニウム製の押出形材であるため、係止溝２７と係止爪部２８ａとはメタルタッチになるので、扉体５の開閉の衝撃により係止溝２７と係止爪部２８ａがあたり、いわゆるビビリ音が発生する。このビビリ音を防止するためには、図２（ｂ）に示すように、化粧カバー２０の係止爪部２８ａ側の裏面とカバー受部材２１の上部傾斜片２４の先端部上面との間に隙間ｓを設け、この隙間ｓに吸音用のパッキン部材Ｐを介在させるように構成する方がよい。
【００３８】
なお、庫体１の開口枠２ａの適宜位置とパッキング受座２ｂの適宜位置には解凍及び結露水防止用のヒータ（図示せず）が埋設されている。
【００３９】
一方、扉体５の庫体１側の下端部には、床面Ｆに接触するずれパッキン９が垂下状に装着されている（図１，図２，図４〜図６参照）。
【００４０】
上記ずれパッキン９は、可撓性を有する合成ゴム部材によって帯板状に形成されており、図２ないし図５に示すように、上記扉体５の下端面に固着されるパッキン受部材８０と、扉体５の下端部表面に固着されるパッキン押え部材９０とによって挟持固定されている。
【００４１】
上記パッキン受部材８０は、扉体の下端面に第１の固定ねじ８１によって固定される水平固定片８２と、扉体５の庫体側面に添設される上部垂直片８３及びこの上部垂直片８３の下端に垂下する下部垂直片８４を有するアルミニウム製押出形材にて形成されている。なお、冷蔵雇用扉の場合は、パッキン受部材８０は合成樹脂製部材にて形成されている。この場合、水平固定片８２の先端部の下面には下方に向かって狭隘開口状に開口する２個の嵌合凹溝８５，８６が並設されており、両嵌合凹溝８５，８６内にそれぞれ断面略Ｔ字状のＴ形パッキン９ａ，９ｂが垂下状に装着されている。なお、先端側の嵌合凹溝８５の先端側開口縁には、保護片８７が垂下されており、この保護片８７によってＴ形パッキン９ａの上部側表面が保護されるようになっている。また、水平固定片８２における嵌合凹溝８６に隣接する部位には、互いに平行な一対の係止壁８８ａを有する係止溝８８が設けられており、この係止溝８８内に嵌挿されるアルミニウム製押出形材製のヒーター線格納部材８９を第１の固定ねじ８１をもって水平固定片８２及び扉体５の下部側の枠材５ｂにねじ結合することで、パッキン受部材８０と共にヒーター線格納部材８９が扉体５の下端部に固定される。
【００４２】
また、パッキン押え部材９０はアルミニウム製の押出形材にて形成されている。このパッキン押え部材９０は、中央部に上記ずれパッキン９の表面に当接すると共に、固定部材である第２の固定ねじ９１が貫通する平坦固定片９２と、この平坦固定片９２に対して第２の固定ねじ９１の頭部９１ａの高さより高く隆起する隆起部９４を有すると共に、先端に向かって下り傾斜面を有する上下対称の一対の押え翼片９３とを有し、かつ、押え翼片９３の先端部が上記パッキン受部材８０の下部垂直片８４の下端部との間でずれパッキン９を挟持し得るように形成されている。また、図７に示すように、パッキン押え部材９０の両押え翼片９３の裏面には、それぞれ先端がずれパッキン９に当接する凹溝９５が長手通しに形成されている。
【００４３】
上記のように形成されるパッキン押え部材９０によれば、パッキン受部材８０の下部垂直片８４と協働してずれパッキン９を床面Ｆに近い位置で挟持して固定することができるので、ずれパッキン９を強固に固定することができ、扉体５の開閉に伴うずれパッキン９の変形や損傷を抑制することができる。また、パッキン押え部材９０の隆起部９４によって固定ねじ９１の頭部９１ａが外部に突出するのを防止することができ、かつ、パッキン押え部材９０の上下部の一対の押え翼片９３を先端に向かって下り傾斜面とすることで、外部の物との干渉をスムーズに行うことができる。また、パッキン押え部材９０の一対の押え翼片９３を上下対称の形状に形成することにより、扉体５にずれパッキン９を固定する時にパッキン押え部材９０を上下間違って取り付ける心配がないので、ずれパッキン９の取付作業を容易にすることができる。
【００４４】
また、パッキン押え部材９０の長手方向端部には、合成樹脂製のキャップ部材１００が被着されている。この場合、キャップ部材１００には、上記パッキン押え部材９０の凹溝９５内に嵌合する嵌合脚片１０１が設けられると共に、扉体５に当接可能な平坦固定片１０５の上下及び一端側にパッキン押え部材９０の隆起部９４の最隆起面９４ａと同一面の隆起面１０２が形成され、かつ、キャップ部材１００の上下部及び先端部を先端に向かって下り傾斜状の傾斜面１０３が形成されている。なお、キャップ部材１００は、平坦固定片１０５に設けられた取付孔１０６を貫通する固定ねじ１０４によって扉体５に固定されている。この固定ねじ１０４の頭部１０４ａは隆起面１０２より低い位置にあり、頭部１０４ａは外部に突出することがない。
【００４５】
上記のように、パッキン押え部材９０の凹溝９５内にキャップ部材１００の嵌合脚片１０１を嵌合してパッキン押え部材９０にキャップ部材１００を装着することにより、パッキン押え部材９０の両端部に、キャップ部材１００を容易に取り付けることができると共に、パッキン押え部材９０の両端部の切断角度誤差をキャップ部材１００によって隠すことができる。また、キャップ部材１００は、上下部及び先端部を先端に向かって下り傾斜状に形成されているので、外部の物との干渉を抑制することができる。
【００４６】
また、パッキン押え部材９０をアルミニウム製押出形材にて形成し、キャップ部材１００を合成樹脂製材料にて形成することにより、長尺状のパッキン押え部材９０の凹溝９５の寸法精度の向上が図れ、パッキン押え部材９０とキャップ部材１００との接合を容易かつ確実にすることができる。
【００４７】
なお、上記実施形態では、この発明に係るスライド扉装置をプレハブ式の冷凍庫に適用した場合について説明したが、プレハブ式の冷凍庫以外の例えばプレハブ式の冷蔵庫、クリーンルームあるいは保管庫や一般の建物にも同様に適用できることは勿論である。
【符号の説明】
【００４８】
１  庫体
２  出入口用開口部
３  案内レール
５  扉体
７  吊り車輪
９  ずれパッキン
８０  パッキン受部材
８１  第１の固定ねじ
８２  水平固定片
８３  上部垂直片
８４  下部垂直片
９０  パッキン押え部材
９１  第２の固定ねじ（固定部材）
９１ａ  頭部
９２  平坦固定片
９３  押え翼片
９４  隆起部
９４ａ  最隆起面
９５  凹溝
９６  下り傾斜面
１００  キャップ部材
１０１  嵌合脚片
１０２  隆起面
１０３  傾斜面
【図１】
2011001793.tif 000003
【図２】
2011001793.tif 000004
【図３】
2011001793.tif 000005
【図４】
2011001793.tif 000006
【図５】
2011001793.tif 000007
【図６】
2011001793.tif 000008
【図７】
2011001793.tif 000009
【図８】
2011001793.tif 000010
【図９】
2011001793.tif 000011